(57)【要約】【課題】    本発明は、毛を含む汚水から毛を簡易に分別することができる毛分別スクリ−ン装置を提供することを目的としている。【解決手段】    毛分別スクリ−ン装置１は、毛を含む汚水を受け入れる槽４と、この槽４内に設けられ、開口部53ａを複数有すると共に、槽４を前記汚水を受け入れる側である１次室41と排出側である２次室42とを区画するスクリ−ンプレ−ト５と、このスクリ−ンプレ−ト５の開口部53ａの目洗い作用を行う攪拌部材６と、スクリ−ンプレ−ト５は平坦な第１の面51と、この第１の面51と反対側に位置した平坦な第２の面52を有し、第１の面51と第２の面52とで形成される厚みはＴであり、スクリ−ンプレ−ト５の厚みＴの中途に設けられ、厚みＴより薄い厚みｔを有し、スクリ−ンプレ−ト５に一体である薄肉部53と、開口部53ａは薄肉部53に薄肉部53を貫通するように設けられたものであり、第１の面51は１次室41に、第２の面52は２次室42に、それぞれ臨むように配置されている。【選択図】図５
2005095777.tif 000002
【特許請求の範囲】
【請求項１】
毛を含む汚水を受け入れる槽と、
この槽内に設けられ、開口部を複数有すると共に、前記槽を前記汚水を受け入れる側である１次室と排出側である２次室とを区画するスクリ−ンプレ−トと、
このスクリ−ンプレ−トの開口部の目洗い作用を行う攪拌部材と、                    前記スクリ−ンプレ−トは平坦な第１の面と、この第１の面と反対側に位置した平坦な第２の面を有し、前記第１の面と前記第２の面とで形成される厚みはＴであり、
前記スクリ−ンプレ−トの厚みＴの中途に設けられ、前記厚みＴより薄い厚みｔを有し、前記スクリ−ンプレ−トに一体である薄肉部と、
前記開口部は前記薄肉部に前記薄肉部を貫通するように設けられたものであり、
前記第１の面は前記１次室に、前記第２の面は前記２次室に、それぞれ臨むように配置されている
ことを特徴とする毛分別スクリ−ン装置。
【請求項２】
第１の面から低い第１の面側凹部と第２の面から低い第２の面側凹部との間に、薄肉部が位置している
ことを特徴とする請求項１記載の毛分別スクリ−ン装置。
【請求項３】
薄肉部をスクリ−ンプレ−トに複数設けている
ことを特徴とする請求項１又は請求項２記載の毛分別スクリ−ン装置。
【発明の詳細な説明】
【技術分野】
【０００１】
本発明は、毛分別スクリ−ン装置に係り、特に、毛を含む汚水から毛を簡易に分別することができる毛分別スクリ−ン装置に関する。
【背景技術】
【０００２】
汚水を浄化する装置には、限外濾過膜を使用している（例えば、特許文献１参照）。
【特許文献１】特開平６−３１２７３号公報。
【発明の開示】
【発明が解決しようとする課題】
【０００３】
しかしながら、毛髪等の毛が含まれている汚水を限外濾過膜で処理すると、限外濾過膜に毛が貯留し、限外濾過膜の処理能力が低下するという不具合が生じる。
また、一方、古紙に使用されているスクリ−ンプレ−トを有するスクリ−ン装置を使用して汚水から毛を分別することを試みたが、図６に示すように、汚水中の毛髪等の毛は整流的な流れにより、スクリ−ンプレ−トＰの開口部ａを容易に通過し、汚水から毛髪等の毛を分別しにくいという不具合が生じた。
本発明は、上述した不具合を考慮し、毛を含む汚水から毛を簡易に分別することができる毛分別スクリ−ン装置を提供するものである。
【課題を解決するための手段】
【０００４】
上記目的を達成するために、請求項１記載の毛分別スクリ−ン装置は、毛を含む汚水を受け入れる槽と、この槽内に設けられ、開口部を複数有すると共に、前記槽を前記汚水を受け入れる側である１次室と排出側である２次室とを区画するスクリ−ンプレ−トと、このスクリ−ンプレ−トの開口部の目洗い作用を行う攪拌部材と、前記スクリ−ンプレ−トは平坦な第１の面と、この第１の面と反対側に位置した平坦な第２の面を有し、前記第１の面と前記第２の面とで形成される厚みはＴであり、前記スクリ−ンプレ−トの厚みＴの中途に設けられ、前記厚みＴより薄い厚みｔを有し、前記スクリ−ンプレ−トに一体である薄肉部と、前記開口部は前記薄肉部に前記薄肉部を貫通するように設けられたものであり、前記第１の面は前記１次室に、前記第２の面は前記２次室に、それぞれ臨むように配置されている。
【０００５】
また、請求項２記載の毛分別スクリ−ン装置は、請求項１記載の毛分別スクリ−ン装置において、第１の面から低い第１の面側凹部と第２の面から低い第２の面側凹部との間に、薄肉部が位置している。
【０００６】
また、請求項３記載の毛分別スクリ−ン装置は、請求項１又は請求項２記載の毛分別スクリ−ン装置において、薄肉部をスクリ−ンプレ−トに複数設けている。
【発明の効果】
【０００７】
請求項１記載の毛分別スクリ−ン装置によれば、薄肉部はスクリ−ンプレ−トの厚みＴの中途、つまり、第１の面から低い第１の面側凹部内に位置するため、毛を含む汚水は第１の面側凹部内で乱れた乱流的な流れとなり、毛は薄肉部に設けられた開口部を通過しにくく１次室側に貯留し、また、開口部を薄肉部に設けて通過抵抗を小さくしても、薄肉部はスクリ−ンプレ−トに一体であるため、強度的にも強くなる。
【実施例】
【０００８】
本発明の一実施例の毛分別スクリ−ン装置を図面を参照して説明する。
図１において、１は毛分別スクリ−ン装置で、毛分別スクリ−ン装置１はベ−ス２上に設けられている。
ベ−ス２上に設けられた第１の脚部３により槽４が支持されている。槽４は毛を含む汚水（例えば、下水）を受け入れるところである。
【０００９】
槽４は槽４内に設けられたスクリ−ンプレ−ト５により、汚水を受け入れる側である１次室41と排出側である２次室42とに区画される。
槽４の１次室41に接続された汚水供給管43により１次室41内に汚水が供給され、スクリ−ンプレ−ト５を通過した汚水は槽４の２次室42に接続された汚水排出管44により槽４外へと排出される。
また、45はスクリ−ンプレ−ト５を通過できない毛を含む汚水を排出する１次室側排出管で、１次室側排出管45は槽４の１次室41に接続されている。
なお、46は汚水供給管43の通路を開閉する汚水供給管開閉弁で、47は汚水排出管44の通路を開閉する汚水排出管開閉弁で、48は１次室側排出管45の通路を開閉する１次室側排出管開閉弁である。
【００１０】
スクリ−ンプレ−ト５は図１乃至図５に示すように、平坦な第１の面51と、この第１の面51と反対側に位置した平坦な第２の面52を有し、第１の面51と第２の面52とで形成される厚みはＴ（例えば、10mm）となっている。
そして、第１の面51は１次室41に、第２の面52は２次室42に、それぞれ臨むように配置されている。
53は薄肉部で、薄肉部53はスクリ−ンプレ−ト５に複数（本実施例では、９個）設けられている。また、薄肉部53はスクリ−ンプレ−ト５の厚みＴの中途に設けられ、厚みＴより薄い厚みｔ（0.3mm 〜1.0mm ）を有し、スクリ−ンプレ−ト５に一体に設けられている。
即ち、薄肉部53は、第１の面51から低い第１の面側凹部51ａと第２の面52から低い第２の面側凹部52ａとの間に位置している。この薄肉部53には、薄肉部53を貫通するように開口部53ａが複数設けられている。
なお、薄肉部53はスクリ−ンプレ−ト５を切削して、第１の面側凹部51ａ及び第２の面側凹部52ａを形成して得られ、開口部53ａは薄肉部53の形成後、薄肉部53を貫通するようにして作ることができる。また、スクリ−ンプレ−ト５はボルト穴54にボルト55を通して支持部材49に取り付けられる。
【００１１】
６はスクリ−ンプレ−ト５の開口部53ａの目洗い作用を行う攪拌部材で、攪拌部材６は、モ−タ61により回転する回転軸62に取り付けられている。回転軸62は、スクリ−ンプレ−ト５を貫通し、攪拌部材６は回転軸62の先端に取り付けられている。モ−タ61はベ−ス２上に設けられた第２の脚部63により支持されている。64は回転軸62の軸受けで、軸受け64はベ−ス２上に設けられた第３の脚部65により支持されている。
【００１２】
従って、汚水供給管43より１次室41内に汚水が供給されると、攪拌部材６の回転により、攪拌部材６の前部ではスクリ−ンプレ−ト５に対して加圧し、攪拌部材６の後部ではスクリ−ンプレ−ト５に対して負圧により、スクリ−ンプレ−ト５の開口部53ａの目洗い作用を行う。
特に、薄肉部53は図５に示すように、スクリ−ンプレ−ト５の厚みＴの中途、つまり、第１の面51から低い第１の面側凹部51ａ内に位置するため、毛髪を含む汚水は第１の面側凹部51ａ内で乱れた乱流的な流れとなり、毛は薄肉部53に設けられた開口部53ａを通過しにくく１次室41側に貯留し、また、開口部53ａを薄肉部53に設けて通過抵抗を小さくしても、薄肉部53はスクリ−ンプレ−ト５に一体であるため、強度的にも強くなる。
なお、スクリ−ンプレ−ト５を通過した汚水は、槽４の２次室42に接続された汚水排出管44により２次室42を介して槽４外へと排出される。
また、スクリ−ンプレ−ト５を通過できない毛を含む汚水は、１次室側排出管開閉弁48を適宜開いて１次室側排出管45より槽４外へと排出される。
【図面の簡単な説明】
【００１３】
【図１】図１は、本発明の一実施例の毛分別スクリ−ン装置の概略的全体図である。
【図２】図２は、図１の２−２線による概略的断面図である。
【図３】図３は、図１のスクリ−ンプレ−ト概略的平面図である。
【図４】図４は、図２の４−４線による概略的断面図である。
【図５】図５は、図４の一部を拡大して示す概略的一部拡大断面図である。
【図６】図６は、従来例の概略的断面図である。
【符号の説明】
【００１４】
１  ・・・・・毛分別スクリ−ン装置
４  ・・・・・槽
５  ・・・・・スクリ−ンプレ−ト
６  ・・・・・攪拌部材
【図１】
2005095777.tif 000003
【図２】
2005095777.tif 000004
【図３】
2005095777.tif 000005
【図４】
2005095777.tif 000006
【図５】
2005095777.tif 000007
【図６】
2005095777.tif 000008